(57)【要約】【課題】不審者に気づかれることなく不審者とエレベータかごに乗り合わせた乗客をかごの外に安全に退避させる。【解決手段】ロビー階のエレベータ乗場に配置された照合端末Ａ１ａを介したＩＤカード等による照合に基づき、照合装置１がエレベータに乗ろうとする正規の乗客の人数を計数し、かご３がロビー階に到着した際に乗客人数検知装置２ａがかご内の乗客の人数を検知し、照合装置１により計数された人数よりも乗客人数検知装置２ａにより検知された人数が多い場合に、エレベータ制御装置２は不審者が乗車していると判断し、正規の乗客の携帯端末６を鳴動させる、スピーカー２ｂから隠しアナウンスを出力する等して不審者に気づかれない方法で正規の乗客にのみ不審者の乗車を通知し、正規の乗客がかご外に出た際に、乗客人数検知装置２ａが乗客の減少を検知し、エレベータ制御装置２が扉３ａを閉めて、不審者をかご内に閉じ込める。【選択図】図１
2009155063.tif 000002
【特許請求の範囲】
【請求項１】
エレベータかごへの搭乗に先立ち、前記エレベータかごへの搭乗が許可されている許可利用者の認証を行い、前記エレベータかごに搭乗しようとする許可利用者の人数を計数する許可利用者計数装置と、
前記許可利用者計数装置による許可利用者の人数の計数後に、前記エレベータかごに搭乗している乗客の人数を検知する乗客人数検知装置と、
前記乗客人数検知装置により検知された乗客の人数の値を受信し、前記許可利用者計数装置により計数された許可利用者の人数の値を受信し、前記乗客人数検知装置により検知された乗客の人数の値と前記許可利用者計数装置により計数された許可利用者の人数の値とを比較し、前記乗客人数検知装置により検知された乗客の人数が前記許可利用者計数装置により計数された許可利用者の人数を上回る場合に、許可利用者以外の不審者が前記エレベータかごに搭乗していると判断する不審者検知装置とを有することを特徴とするエレベータ管理システム。
【請求項２】
前記不審者検知装置は、
不審者が前記エレベータかごに搭乗していると判断した場合に、前記エレベータかごに搭乗している搭乗許可利用者に対して、前記搭乗許可利用者のみが感知し得る方法で不審者が前記エレベータかごに同乗していることを通知することを特徴とする請求項１に記載のエレベータ管理システム。
【請求項３】
前記乗客人数検知装置は、
前記不審者検知装置が前記搭乗許可利用者に対して不審者が前記エレベータかごに同乗していることを通知した後の前記エレベータかごの乗客の人数を検知し、
前記不審者検知装置は、
前記乗客人数検知装置により検知された通知後の乗客の人数が通知前の乗客の人数から減っている場合に、前記エレベータかごの扉を閉鎖し、扉を閉鎖状態に保持することを特徴とする請求項２に記載のエレベータ管理システム。
【請求項４】
前記不審者検知装置は、
前記乗客人数検知装置により検知された通知後の乗客の人数が通知前の乗客の人数から減っている場合に、前記エレベータかご内の操作盤の機能を無効にすることを特徴とする請求項３に記載のエレベータ管理システム。
【請求項５】
前記エレベータ管理システムは、更に、
前記エレベータかご内の搭乗許可利用者の認証を行うかご内許可利用者認証装置を有し、
前記不審者検知装置は、
前記エレベータかごの扉を閉鎖状態にしている際に、前記かご内許可利用者認証装置により搭乗許可利用者が認証された場合に、前記エレベータかごの扉の閉鎖状態を解いて前記エレベータかごの扉を開放可能にすることを特徴とする請求項３又は４に記載のエレベータ管理システム。
【請求項６】
前記エレベータ管理システムは、更に、
前記エレベータかご内の搭乗許可利用者の認証を行うかご内許可利用者認証装置を有し、
前記不審者検知装置は、
前記エレベータかご内の制御盤の機能を無効にしている際に、前記かご内許可利用者認証装置により搭乗許可利用者が認証された場合に、前記エレベータかご内の制御盤の機能を有効にすることを特徴とする請求項４に記載のエレベータ管理システム。
【請求項７】
前記不審者検知装置は、
前記搭乗許可利用者が携帯している携帯通信端末を発呼して、前記搭乗許可利用者に対して不審者が前記エレベータかごに同乗していることを通知することを特徴とする請求項２に記載のエレベータ管理システム。
【請求項８】
前記不審者検知装置は、
前記エレベータかごに配置されているスピーカーから、通常時にアナウンスされても不自然ではないが通常時にはアナウンスされない音声メッセージを出力させて、前記搭乗許可利用者に対して不審者が前記エレベータかごに同乗していることを通知することを特徴とする請求項２又は７に記載のエレベータ管理システム。
【請求項９】
前記不審者検知装置は、
前記エレベータかごに配置されている表示ディスプレイの表示形式を変化させて、前記搭乗許可利用者に対して不審者が前記エレベータかごに同乗していることを通知することを特徴とする請求項２、７、８のいずれかに記載のエレベータ管理システム。
【請求項１０】
前記不審者検知装置は、
不審者が前記エレベータかごに搭乗していると判断した場合に、エレベータ乗場に配置されている出力装置から前記エレベータかごに不審者が搭乗していることを通知するメッセージを出力することを特徴とする請求項１に記載のエレベータ管理システム。
【発明の詳細な説明】
【技術分野】
【０００１】
本発明は、エレベータかごに不審者と同乗することになった正規の利用者の安全を確保する技術に関する。
【背景技術】
【０００２】
不審者とエレベータかごに同乗してしまった際の乗客の安全を図る技術として、特許文献１に記載の技術がある。
特許文献１では、エレベータかごに不審者が乗り込んだとしても、この不審者によるかごの出発を阻止できる技術が開示されている。
具体的には、乗場呼びに応答したかごに乗客が乗り込んで行先ボタンを操作した後、続いて不審者が乗り込んだ場合に、この不審者に不安を感じた乗客が個人認識装置による認識操作を中止すると、戸閉を開始していた戸が反転して全開し、このタイミングで乗客がかごから降車する等により不審者と同乗することを防ぐことができる。
【特許文献１】特開２００５−８３４９号公報
【発明の開示】
【発明が解決しようとする課題】
【０００３】
特許文献１では、正規の乗客と不審者がエレベータかご内に乗り合わせた場合、正規の乗客は自ら扉の開閉操作をしなければならないが、この行為が乗客の認識（相手を不審者と認識していること）を相手に伝えることになり、これを見た不審者が不快に感じる又は当該乗客に警戒心・敵対心を持ち、逆上して当該乗客に危害を加える可能性があるという課題がある。
【０００４】
この発明は、上記のような課題を解決することを主な目的の一つとしており、不審者に気づかれることなく不審者とエレベータかごに乗り合わせた乗客をエレベータかごの外に安全に退避させることが可能なエレベータ管理技術を提供することを主な目的とする。
【課題を解決するための手段】
【０００５】
本発明に係るエレベータ管理システムは、
エレベータかごへの搭乗に先立ち、前記エレベータかごへの搭乗が許可されている許可利用者の認証を行い、前記エレベータかごに搭乗しようとする許可利用者の人数を計数する許可利用者計数装置と、
前記許可利用者計数装置による許可利用者の人数の計数後に、前記エレベータかごに搭乗している乗客の人数を検知する乗客人数検知装置と、
前記乗客人数検知装置により検知された乗客の人数の値を受信し、前記許可利用者計数装置により計数された許可利用者の人数の値を受信し、前記乗客人数検知装置により検知された乗客の人数の値と前記許可利用者計数装置により計数された許可利用者の人数の値とを比較し、前記乗客人数検知装置により検知された乗客の人数が前記許可利用者計数装置により計数された許可利用者の人数を上回る場合に、許可利用者以外の不審者が前記エレベータかごに搭乗していると判断する不審者検知装置とを有することを特徴とする。
【発明の効果】
【０００６】
本発明によれば、不審者がエレベータかご内にいることを検知するため、不審者に気づかれない方法で不審者と乗り合わせた乗客に不審者の存在を通知することができ、不審者を刺激することなく、乗客をエレベータかごの外に安全に退避させることができ、乗客の安全を確保することができる。
【発明を実施するための最良の形態】
【０００７】
実施の形態１．
本実施の形態に係るエレベータ管理システムを図１〜図５に従い説明する。
【０００８】
図１は、本実施の形態に係るエレベータ管理システム１００の構成例を示す。
図２は、エレベータ管理システム１００の構成要素であるエレベータ制御装置２の構成例を示す。
図３〜図５は、本実施の形態に係るエレベータ管理システム１００の動作例を示すフローチャートである。
【０００９】
図１において、照合装置１はエレベータかご３（以下、単にかご３ともいう）の外（例えば、エレベータ乗場）に配置され、かご３への搭乗が許可されている許可利用者（建物の住人等）のＩＤ（Ｉｄｅｎｔｉｆｉｃａｔｉｏｎ）番号や携帯端末６（携帯通信端末）の電話番号を記憶し、照合端末から送信されたＩＤ番号を認証する。
つまり、照合装置１は、かご３への搭乗に先立ち、照合端末Ａ１ａを通じて許可利用者の認証を行い、また、かご３に搭乗しようとする許可利用者の人数を計数する。
照合装置１は、許可利用者計数装置の例である。
また、後述するように、所定の場合に、照合端末Ｂ１ｂを通じてかご３内の許可利用者（搭乗許可利用者）の認証も行う。
照合装置１は、かご内許可利用者認証装置の例でもある。
【００１０】
照合端末Ａ１ａは、ロビー階のエレベータ乗場に設置され、許可利用者のＩＤ番号を入力する。照合端末Ａ１ａは例えばテンキー装置を備え、許可利用者がテンキー装置を打鍵して入力したＩＤ番号を入力してもよい。また、照合端末Ａ１ａはカードリーダ装置を備え、許可利用者がＩＣ（Ｉｎｔｅｇｒａｔｅｄ  Ｃｉｒｃｕｉｔ）カード等のＩＤカードをかざした際に、ＩＤカードから許可利用者のＩＤ番号をカードリーダ装置を介して入力してもよい。
【００１１】
照合端末Ｂ１ｂは、かご３内に設置され、許可利用者のＩＤ番号を入力する。照合端末Ｂ１ｂは照合端末Ａ１ａと同様に、テンキー装置を備え、許可利用者がテンキー装置を打鍵して入力したＩＤ番号を入力してもよいし、カードリーダ装置を備え、許可利用者がＩＤカード等をかざすことにより、ＩＤカードから許可利用者のＩＤ番号をカードリーダ装置を介して入力してもよい。
【００１２】
通信装置４は、照合装置１からの指示に従って、通信網５を通じて許可利用者の携帯端末６への発呼を行う。
【００１３】
乗客人数検知装置２ａは、照合装置１による許可利用者の人数の計数後に、かご３の重量変化からかご３に搭乗している乗客の人数を算出し、これをエレベータ制御装置２に送信する。
乗客人数検知装置２ａは、例えば、成人の平均体重のデータ及び無人時のかご３の重量データを保持しており、この平均体重のデータ及び重量データとかご３の重量変化から搭乗人数を算出する。
また、例えば、照合装置１は、許可利用者各人についてＩＤ番号とともに体重情報を記憶しておき、ＩＤ番号の照合を行った許可利用者の体重情報を乗客人数検知装置２ａに送信し、乗客人数検知装置２ａは無人時のかご３の重量データと照合装置１から受信した体重情報を用いて、搭乗人数を算出するようにしてもよい。
【００１４】
エレベータ制御装置２は、かご３の動作を制御する。
具体的には、エレベータ制御装置２は、乗客人数検知装置２ａにより検知された乗客の人数の値を受信し、照合装置１により計数された許可利用者の人数の値を受信し、両数値を比較し、乗客人数検知装置２ａにより検知された乗客の人数が照合装置１により計数された許可利用者の人数を上回る場合に、許可利用者以外の不審者がエレベータかご３に搭乗していると判断する。
エレベータ制御装置２は、不審者検知装置の例である。
【００１５】
そして、エレベータ制御装置２は、不審者がかご３に搭乗していると判断した場合に、かご３に搭乗している許可利用者（搭乗許可利用者）に対して、搭乗許可利用者のみが感知し得る方法で不審者がかご３に同乗していることを通知する。
具体的には、エレベータ制御装置２は、照合装置１及び通信装置４を介して、搭乗許可利用者が携帯している携帯端末６（携帯通信端末）を発呼して、搭乗許可利用者に対して不審者がかご３に同乗していることを通知する。
また、エレベータ制御装置２は、かご３に配置されているスピーカー２ｂから、通常時にアナウンスされても不自然ではないが通常時にはアナウンスされない音声メッセージを出力させて、搭乗許可利用者に対して不審者がかご３に同乗していることを通知してもよい。
更には、エレベータ制御装置２は、かご３に配置されているモニタ２ｃ（表示ディスプレイ）の表示形式を変化させて、搭乗許可利用者に対して不審者がかご３に同乗していることを通知してもよい。
また、エレベータ制御装置２は、不審者がかご３に搭乗していると判断した場合に、エレベータ乗場に配置されている出力装置（表示ディスプレイ又はスピーカー、ともに不図示）からかご３に不審者が搭乗していることを通知するメッセージを出力し、他の利用者の注意を促してもよい。
【００１６】
また、エレベータ制御装置２は、かご３の運転及び扉３ａの開閉を制御することができる。
例えば、搭乗許可利用者に対して不審者がかご３に同乗していることを通知した後に乗客人数検知装置２ａにより算出されたかご３内の乗客の人数が通知前の乗客の人数から減っている場合に、エレベータ制御装置２は、かご３の扉３ａを閉鎖し、扉を閉鎖状態に保持する。
また、エレベータ制御装置２は、同様に、乗客人数検知装置２ａにより通知後に算出されたかご３内の乗客の人数が通知前の乗客の人数から減っている場合に、かご３内の操作盤の機能を無効にすることもできる。
また、エレベータ制御装置２は、かご３の扉３ａを閉鎖状態にしている際に、かご３内の照合端末Ｂ１ｂ及び照合装置１により搭乗許可利用者が認証された場合に、かご３の扉３ａの閉鎖状態を解いて扉３ａを開放可能にしてもよい。
更に、エレベータ制御装置２は、かご３内の制御盤の機能を無効にしている際に、かご３内の照合端末Ｂ１ｂ及び照合装置１により搭乗許可利用者が認証された場合に、かご３内の制御盤の機能を有効にする。
【００１７】
エレベータかご３は、許可利用者のみに利用が許可されている。
かご３内には照合端末Ｂ１ｂ、スピーカー２ｂ、モニタ２ｃ、子インターホン７ａ等が配置されており、前述のように、これらを通じて不審者と乗り合わせてしまった許可利用者の身の安全が図られる。
【００１８】
スピーカー２ｂは、かご３内に配置され、アナウンスを流す。
モニタ２ｃは、かご３内に設置され、かご３の現在階床を表示する。
子インターホン７ａは、かご３内に設置され、管理人室と通話するために用いられる。
【００１９】
ブザー２ｄは、管理人室に設置され、かご３が不審者閉じ込め状態になったことを知らせる。
解除ボタン２ｅは、管理人室に設置され、かご３の不審者閉じ込め状態を解除するために用いられる。
親インターホン７は、管理人室に設置され、かご内と通話するために用いられる。
【００２０】
通信網５は、通信装置４から搭乗許可利用者が携帯している携帯端末６に発呼するときに用いられる。
【００２１】
次に、図２を参照して、エレベータ制御装置２の内部構成を説明する。
【００２２】
制御部２０１は、エレベータ制御装置２の全体の動作を制御する。
照合装置通信部２０２は、照合装置１と通信する。例えば、照合装置通信部２０２は、照合装置１により計数された許可利用者の人数の値を受信する。
乗客人数検知装置通信部２０３は、乗客人数検知装置２ａと通信する。例えば、乗客人数検知装置通信部２０３は、乗客人数検知装置２ａにより検知された乗客の人数の値を受信する。
【００２３】
不審者判断部２０４は、乗客人数検知装置２ａにより検知された乗客の人数の値と照合装置１により計数された許可利用者の人数の値とを比較し、乗客人数検知装置２ａにより検知された乗客の人数が照合装置１により計数された許可利用者の人数を上回る場合に、許可利用者以外の不審者がエレベータかご３に搭乗していると判断する。
時計２０５は、時間を計測する。具体的には、閉じ込め検知時間を計測する。
【００２４】
運転制御部２０６は、かご３の運転の制御を行う。具体的には、不審者判断部２０４により不審者がかご３内にいると判断された場合に、かご３をロビー階に停止させておく。
扉制御部２０７は、かご３の扉３ａを制御する。具体的には、不審者判断部２０４により不審者がかご３内にいると判断された場合に、扉３ａを閉鎖状態にする。また、一定の場合に、閉鎖状態を解いて、扉３ａを開放する。
操作盤制御部２０８は、かご３内の操作盤を制御する。具体的には、不審者判断部２０４により不審者がかご３内にいると判断された場合に、操作盤の機能を無効にする。また、一定の場合に、無効化している制御盤の機能を有効にする。
【００２５】
スピーカー制御部２０９は、かご３内のスピーカー２ｂを制御する。具体的には、不審者判断部２０４により不審者がかご３内にいると判断された場合に、特定のアナウンスをスピーカー２ｂから出力させる。
モニタ制御部２１０は、かご３内のモニタ２ｃを制御する。具体的には、不審者判断部２０４により不審者がかご３内にいると判断された場合に、モニタ２ｃの現在階床表示の表示形式を変化させる。
【００２６】
ブザー出力部２１１は、ブザー２ｄにアラーム音を出力して、管理人に不審者の侵入を通知する。
解除ボタン入力部２１２は、解除ボタン２ｅからの制御信号を入力して、エレベータ制御装置２における不審者検知動作を解除する。
【００２７】
次に、図３〜図５を参照して、本実施の形態に係るエレベータ管理システム１００の動作を説明する。
先ず、不審者が同乗していない通常時の動作を説明する。
【００２８】
以下、住人Ａ及び住人Ｂを許可利用者の例として本実施の形態に係るエレベータ管理システム１００の動作を説明する。
【００２９】
住人Ａは、ロビー階からエレベータに乗車する前に、エレベータ手前に設置された照合端末Ａ１ａにＩＤカードをかざす（Ｓ１）。
照合端末Ａ１ａは照合装置１にＩＤ番号を送信する。
照合装置１は、照合端末Ａ１ａから受信した住人ＡのＩＤ番号を認証し、照合ＯＫであるので、照合装置１は、保持している「エレベータ利用者ＩＤ番号リスト」（以下、ＩＤ番号リスト）に住人ＡのＩＤ番号を登録する（Ｓ１）。
続いて、照合装置１は、「ＩＤ番号リストに登録されているＩＤ番号の数」（以下、ＩＤ数）をカウントし（Ｓ１）、この値（ここでは「１」）をエレベータ制御装置２に送信する（Ｓ１）。
【００３０】
これを受けてエレベータ制御装置２は、内部に保持するＩＤ数のパラメータ値を「０」から「１」に変更するとともに、かご３の乗場呼びを行う（乗場呼びは、ＩＤ数が「０」から「１以上」に変更された場合に行う）（Ｓ２）。
【００３１】
かご３が乗場に到着するまでの間に住人Ｂも入館し、照合端末Ａ１ａにＩＤカードをかざす（Ｓ１８）。これにより、照合装置１が保持するＩＤ番号リストに住人ＢのＩＤ番号が追加され（Ｓ１８）、ＩＤ数「２」がエレベータ制御装置２に送信される（Ｓ１８）。
これを受けて、エレベータ制御装置２は、内部に保持するＩＤ数のパラメータ値を「１」から「２」に変更する。
【００３２】
乗場にかご３が到着して扉３ａが開くと（Ｓ３、Ｓ４）、住人Ａと住人Ｂがかご内に入り、それぞれが行先階ボタンを押す。
この際、乗客人数検知装置２ａは、かご３の重量変化から検知人数「２」を算出し、その値をエレベータ制御装置２に送信する（Ｓ５）。
乗客人数検知装置２ａは、かご重量が変化するたびに最新の検知人数をエレベータ制御装置２に送信し、エレベータ制御装置２はその値を随時記憶する。
【００３３】
エレベータ制御装置２は、照合装置１から受信し、記憶した最新のＩＤ数（照合装置１で計数された許可利用者の人数）と乗客人数検知装置２ａから受信した最新の検知人数（かご内の乗客数）を比較する（Ｓ６）。
そして、両者が「２」で一致したため、扉３ａを閉め（Ｓ１９）、かご内で押された行先階ボタンからの入力を受付けて通常の昇降動作を開始する（Ｓ２０）。
続いて、内部に保持するＩＤ数を「０」に変更するとともに、照合装置１に乗車完了信号を送信する。これを受けて照合装置１は、内部に保持しているＩＤ番号リストを空にし、この結果、ＩＤ数も「０」になる（Ｓ２１）。
【００３４】
次に、不審者が同乗している場合の動作を説明する。
【００３５】
Ｓ１及びＳ２までは、通常時の動作と同様である。
次に、かご３が乗場に到着するまでの間にＩＤカードを持たない不審者が入館し、照合端末Ａ１ａにＩＤカードをかざさなかったことを住人Ａに気づかれずに、乗場で待機する。このとき、エレベータ制御装置２が記憶するＩＤ数は「１」のままである。
【００３６】
乗場にかご３が到着して扉３ａが開くと（Ｓ３、Ｓ４）、住人Ａと不審者がかご内に入り、それぞれが行先階ボタンを押す。この際、乗客人数検知装置２ａは、かご３の重量変化から検知人数「２」を算出し、その値をエレベータ制御装置２に送信する（Ｓ５）。
【００３７】
エレベータ制御装置２は、照合装置１から受信し、記憶した最新のＩＤ数（照合装置１で計数された許可利用者の人数）と乗客人数検知装置２ａから受信した最新の検知人数（かご内の乗客数）を比較する（Ｓ６）が、前者が「１」、後者が「２」であり、ＩＤ数が検知人数より少ない（Ｓ６）。
そして、この場合は、検知人数が「２」である（Ｓ７）。
このため、エレベータ制御装置２は、不審者１名と住人１名が同乗していると判断し、以下の不審者検知動作を行う。
【００３８】
エレベータ制御装置２は、照合装置１に発呼指示信号を送信する。
これを受けて照合装置１は、エレベータ制御装置２が不審者検知動作中であることを認識するとともに、ＩＤ番号リストを参照し、ここに登録されている住人ＡのＩＤ番号をもとに、それとセットで登録されている住人Ａの携帯端末６の電話番号を内部のデータベースから検索する。
そして、照合装置１は、得られた住人Ａの携帯端末６の電話番号を通信装置４に送信し、これを受けて通信装置４は住人Ａの携帯端末６に発呼を行う（Ｓ８）。
【００３９】
また、エレベータ制御装置２は、照合装置１に発呼指示信号を送信後、住人Ａに不審者乗車を認識させるため、以下も行う。
不審者乗車検知時にのみ使用する隠しアナウンス「まもなく扉が閉まります」をかご内スピーカー２ｂから流す（Ｓ９）。この隠しアナウンスは、通常時にアナウンスされても不自然ではないが通常時にはアナウンスされないメッセージなので、不審者には気づかれず、搭乗許可利用者である住人Ａのみが感知し得る。
かご内モニタ２ｃに表示している現在階床の数字について、文字色を白から青に変える特殊表示を行う（Ｓ９）。このような表示形式の変更も不審者には気づかれず、搭乗許可利用者である住人Ａのみが感知し得る。
【００４０】
かご内の住人Ａは、自分の携帯端末６が鳴動すると、不審者乗車の可能性を疑い、スピーカー２ｂから流れるアナウンスやモニタ２ｃの表示に注意を向ける。
そして、隠しアナウンスや特殊表示が行われていることを確認すると、住人Ａは携帯端末６に応答する素振りをしながらかご外に退避する。
【００４１】
上記の結果、かご重量が変化すると、乗客人数検知装置２ａは変化後のかご重量をもとに検知人数「１」を算出し、この値をエレベータ制御装置２に送信する（Ｓ１０）。
これを受けてエレベータ制御装置２は、かご３から１名だけ降車したと判断し、かごの扉３ａを閉め（Ｓ１１）、かご内の照合端末Ｂ１ｂにＩＤカードがかざされ、これを照合するまで（Ｓ１２）、かご３を昇降させずにロビー階に留まらせて待機する。
【００４２】
上記の待機時間が、不審者閉じ込め検知時間（例えば１分）を経過すると（Ｓ１３）、エレベータ制御装置２は不審者を閉じ込めていると判断し、管理人室のブザー２ｄを鳴動させる（Ｓ１４）。
管理人は親インターホン７を使ってかご内の人物と通話し、誤って住人への訪問客が閉じ込められたと判断した場合は、解除ボタン２ｅを押してかごの扉３ａを開ける（Ｓ１５、Ｓ１６）。また、不審者と判断した場合は、警察に通報し、その到着を待って解除ボタン２ｅを押す。
【００４３】
エレベータ制御装置２は、解除ボタン２ｅが押されると不審者検知動作を中止し、内部に保持するＩＤ数を「０」に変更するとともに、照合装置１に乗車完了信号を送信する。
これを受けて照合装置１は、内部に保持しているＩＤ番号リストを空にし、この結果、ＩＤ数も「０」になる（Ｓ１７）。
【００４４】
ここで、不審者が不審者検知動作に気づき、住人Ａより先にかご外に逃げた場合は、以下で動作する。
この場合も、乗客人数検知装置２ａはかご内の人数を「１」と検知するため（Ｓ１０）、かごの扉３ａは閉じられる（Ｓ１１）。
そして、住人Ａは、かごの扉３ａが閉じた後（Ｓ１１）、不審者閉じ込め検知時間以内に（Ｓ１３）、かご内の照合端末Ｂ１ｂにＩＤカードをかざす。
照合端末Ｂ１ｂは、読み込んだＩＤ番号を照合装置１に送信する。
これを受けて、照合装置１はＩＤ番号を認証し、その結果、照合ＯＫであり、かつ、エレベータ制御装置２が不審者検知動作中であるので（発呼指示信号の受信で認識）、エレベータ制御装置２に昇降許可信号を送る（Ｓ１２）。
【００４５】
上記を受けてエレベータ制御装置２は、不審者検知動作を終了する。
そして、かご内で押された行先階ボタンからの入力を受付け、通常の昇降動作を開始する（Ｓ２０）。
続いて、内部に保持するＩＤ数を「０」に変更するとともに、照合装置１に乗車完了信号を送信する。
これを受けて照合装置１は、内部に保持しているＩＤ番号リストを空にし、この結果、ＩＤ数も「０」になる（Ｓ２１）。
【００４６】
一方、住人も不審者もすべてかご外に出てしまった場合、乗客人数検知装置２ａは検知人数「０」をエレベータ制御装置２に送信する（Ｓ１０）。
これを受けてエレベータ制御装置２は不審者検知動作を中止し、内部に保持するＩＤ数を「０」に変更するとともに、照合装置１に乗車完了信号を送信する。これを受けて照合装置１は、内部に保持しているＩＤ番号リストを空にし、この結果、ＩＤ数も「０」になる（Ｓ１７）。
【００４７】
なお、Ｓ７における検知人数が３名以上の場合は、携帯端末への発呼や隠しアナウンスは行わず、またかごの扉も閉めずに、すぐブザーを鳴らして管理人に異常を伝える（図４：Ｓ７→Ｓ１４）。これは、かごの重量変化だけによる人数検知では、Ｓ１０の判断において人数が減ったと判断しても降車したのが住人なのか判別できず、この状態で扉を閉めると、住人と不審者がかご内、もしくは降車後の乗場で一緒になり、住人に危害が加えられる恐れがあるためである。
このように、本実施の形態は検知人数が２名の場合により有効な効果が得られる構成であるが、エレベータの利用者の多くが不安を感じ、また実際に犯罪が起きているのが、かご内で不審者と１対１で乗り合わせたケースであるので、実際のエレベータ利用場面においても十分な効果が得られる。
【００４８】
一方で、住民１人に対して不審者が２人以上という場合も考えられる。
このような場合を手当てするために、例えば、図４に代えて図５に示す動作フローを採用していもよい。
【００４９】
図３に示す動作フロー（Ｓ１〜Ｓ６）は、この例でも同様である。
そして、図３のＳ６の後、検知人数が２人であるか否かの判断を行うことなく、エレベータ制御装置２は、照合装置１及び通信装置４を通じて住人の携帯端末６に発呼する（Ｓ８）。
また、エレベータ制御装置２は、隠しアナウンス及びモニタの特殊表示も行う（Ｓ９）。
これにより、住人は不審者が同乗していることを察知してかご外に出ることが期待される。
そして、エレベータ制御装置２は乗客人数検知装置２ａが新たに検知した人数がＳ８及びＳ９の処理の前に検知した検知人数よりも減っていると判断した場合には（Ｓ３０）、検知人数が０人でなければ（Ｓ３１）、扉３ａを閉める（Ｓ１１）。
【００５０】
住民が１人で不審者が１人の場合は、Ｓ３０において検知人数が減ったと判断された状況は、住民又は不審者のどちらかかご外に出ている状況なので、住民と不審者が離れており、扉３ａを閉めることで住民はより安全になる。
住民が１人で不審者が２人以上である場合に、１人である住民は携帯端末６の鳴動、隠しアナウンス、モニタの特殊表示等から不審者の存在に気づくとともに、自分以外のすべてが不審者であると考えて、素早くかご外に退避することが予想される。この場合には、住民１人と２人以上の不審者が離れたので、扉３ａを閉めることで住民はより安全になる。
また、不審者が２人以上の場合は、不審者が皆仲間であることが多いと予想されるので、不審者がかご外に出る場合は、不審者の全員がかご外に出ると考えられる。
つまり、２人以上の不審者のうちの一部のみがかご外に出て、残りの不審者が住民とともにかご内に留まるという事態が起こる可能性は低いと考えられる。
このため、住民が１人で不審者が２人以上である場合も、乗客人数検知装置２ａによる検知人数が減っているときには、住民１人と２人以上の不審者が離れている可能性が高いと考えられ、このため扉３ａを閉める。
【００５１】
以降の動作は、図４に示したものと同様である。
【００５２】
このように、本実施の形態によれば、不審者の乗車を住人だけに知らせるので、当該不審者は周囲の人物に不審がられないように逃げずに乗車し続ける可能性が高く、住人は安全にかご外へ退避できるとともに、不審者をかご内に閉じ込めて拘束しやすいという効果がある。
また、不審者乗車を住人に知らせるにあたり、エレベータの運行情報に関するアナウンスや表示を利用するので、不審者に気づかれにくいという効果がある。
更には、不審者乗車を住人に知らせるにあたり、エレベータと通常連動しない携帯電話等の住人所持品を利用するので、不審者にさらに気づかれにくい。また、携帯電話の場合、住人は「通話するために、一旦かご外へ出る」という自然な素振りを取れるので、不審者を不快にさせず、より安全に退避できる。
【００５３】
なお、以上の説明では、乗客人数検知装置２ａはかご内の重量変化によりかご内の乗客人数を算出することとしたが、例えば、かご内に監視カメラが設定されている場合には、乗客人数検知装置２ａがカメラ画像を解析して、かご内の乗客数を判別するようにしてもよい。
【００５４】
また、例えば、かご内に人感センサが配備されている場合は、乗客人数検知装置２ａにより感知された人数をかご内の乗客数と判断してもよい。
【００５５】
また、エレベータ制御装置２は、不審者を検知した場合には、他の階の乗場に配置されている表示ディスプレイやスピーカーからかご３に不審者が搭乗していることを通知するメッセージを出力し、他の階にいる住民の注意を促すようにしてもよい。
【００５６】
また、本実施の形態に示したエレベータ制御装置２は、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、磁気ディスク装置等の記憶装置と、通信インタフェース等を備えるコンピュータにより実現可能である。
この場合、本実施の形態に示したエレベータ制御装置２の各要素は例えばプログラムにより実現することができる。これらプログラムは、磁気ディスク装置等の記憶装置に格納され、ＣＰＵにより読み出され実行される。
また、ＲＡＭには、ＣＰＵに実行させるプログラムの少なくとも一部が一時的に格納される。
また、ＲＡＭには、ＣＰＵによる処理に必要な各種データが格納される。
例えば、ＲＡＭには、本実施の形態の説明において、「〜の判断」、「〜の計算」、「〜の比較」、「〜の設定」、「〜の登録」、「〜の制御」、「〜の選択」等として説明している処理の結果を示す情報やデータや信号値や変数値やパラメータが記憶される。
また、本実施の形態に示したエレベータ制御装置２の各要素は、回路であってもよい。また、ＲＯＭに記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。
また、本実施の形態に示したエレベータ制御装置２の各要素を「〜ステップ」、「〜手順」、「〜処理」と表現することも可能である。
【００５７】
以上、本実施の形態では、予め登録された人物（マンション等の住人）が乗車した場合のみ運行するエレベータにおいて、不審者（予め登録されていない人物）と住人が、かご内で乗り合わせたことを検知する手段を備えた防犯用エレベータについて説明した。
【００５８】
また、本実施の形態では、不審者（予め登録されていない人物）と住人が、かご内で乗り合わせたとき、不審者に気付かれない方法で、かご内の住人だけに不審者と乗り合わせていることを知らせる手段を備えた防犯用エレベータについて説明した。
より具体的には、エレベータかご内で以下の動作のいずれかを行うことにより、不審者が乗車していることを、かご内の住人だけに知らせる。
「間もなく扉が閉まります」等、エレベータの運行情報ではあるが、通常は使用していないアナウンスを流す。
階床表示等、エレベータの運行情報であり、通常も表示している情報ではあるが、それを点滅させたり、表示色を変える等、通常と異なる形態で表示する。
更には、かご内の住人の携帯電話に通話呼出やメールを送信する等、エレベータ本体以外であって、かご内の住人が所持する機器を利用して、不審者が乗車していることを、かご内の住人だけに知らせることも可能である。
【００５９】
また、本実施の形態では、かご内の住人に不審者と乗り合わせていることを知らせた後、前記かご内の乗客が降車したとき、前記かご内の乗客が降車したことを検知する手段を備えた防犯用エレベータについて説明した。
【００６０】
また、本実施の形態では、前記かご内の乗客が降車し、かごの扉を閉めた後、直ちにかごの運転を停止し、かご内の操作盤の機能を無効として、かご内に残った乗客をかご内に閉じ込める手段を備えた防犯用エレベータについて説明した。
【００６１】
また、本実施の形態では、かごの運転を停止した後、かご内に閉じ込められた住人が、かご内の照合端末で照合操作をおこない、照合ＯＫとなった場合は、かご内の操作盤を正常な機能に復帰させて、かごの運転を再開する手段を備えた防犯用エレベータについて説明した。
【図面の簡単な説明】
【００６２】
【図１】実施の形態１に係るエレベータ管理システムの構成例を示す図。
【図２】実施の形態１に係るエレベータ制御装置の構成例を示す図。
【図３】実施の形態１に係るエレベータ管理システムの動作例を示すフローチャート図。
【図４】実施の形態１に係るエレベータ管理システムの動作例を示すフローチャート図。
【図５】実施の形態１に係るエレベータ管理システムの動作例を示すフローチャート図。
【符号の説明】
【００６３】
１  照合装置、１ａ  照合端末Ａ、１ｂ  照合端末Ｂ、２  エレベータ制御装置、２ａ  乗客人数検知装置、２ｂ  スピーカー、２ｃ  モニタ、２ｄ  ブザー、２ｅ  解除ボタン、３  エレベータかご、３ａ  扉、４  通信装置、５  通信網、６  携帯端末、７  親インターホン、７ａ  子インターホン、１００  エレベータ管理システム、２０１  制御部、２０２  照合装置通信部、２０３  乗客人数検知装置通信部、２０４  不審者判断部、２０５  時計、２０６  運転制御部、２０７  扉制御部、２０８  操作盤制御部、２０９  スピーカー制御部、２１０  モニタ制御部、２１１  ブザー出力部、２１２  解除ボタン入力部。
【図１】
2009155063.tif 000003
【図２】
2009155063.tif 000004
【図３】
2009155063.tif 000005
【図４】
2009155063.tif 000006
【図５】
2009155063.tif 000007